(57)【要約】      （修正有）【課題】ハンドルの使用上の利便性を保った上で外部の物に引っ掛かりぶつかることを避け、収納場所をあまり取らない旅行かばんを提供する。【解決手段】旅行かばん１００は、フロントシェル１０、バックシェル２０、フレーム３０および二つのハンドル４０を備える。フロントシェル１０は開口辺縁部と、開口辺縁部に形成された第一凹状部１２１と、第一凹状部１２１の近くに接する部位に形成された凹状円弧部とを有する。バックシェル２０は開口辺縁部と、開口辺縁部に形成された第一凹状部２２１と、第一凹状部２２１の近くに接する部位に形成された凹状円弧部とを有する。開口辺縁部および開口辺縁部は相互に対応し、フレーム３０によって接合され、フロントシェル１０およびバックシェル２０を閉鎖する。第一凹状部１２１はフロントシェル１０の内側へ陥没する。第二凹状部２２１はバックシェル２０の内側へ陥没する。【選択図】図１
0003191248.tif 000002
【実用新案登録請求の範囲】
【請求項１】
フロントシェル、バックシェル、フレームおよびハンドルを備え、
前記フロントシェルは、開口辺縁部と、前記開口辺縁部に形成された第一凹状部
とを有し、
前記バックシェルは、開口辺縁部と、前記開口辺縁部に形成された第一凹状部とを有し、
前記フレームは、第一環状筐体および第二環状筐体を有し、前記第一環状筐体は、前記フロントシェルの前記開口辺縁部に装着され、第二凹状部を有し、前記第二環状筐体は、前記バックシェルの前記開口辺縁部に装着され、第二凹状部を有し、前記第一環状筐体および前記第二環状筐体は、相互に当接することで環状溝を形成し、二つの前記第二凹状部および二つの前記第一凹状部は、相互に対応することで陥没部を構成し、
前記ハンドルは、グリップと、前記グリップの両端に配置された二つの固定座とを有し、二つの前記固定座は、前記陥没部の両側かつ前記環状溝の中に位置するように前記フレームに固定され、前記グリップは、前記陥没部の上方に跨り、二つの前記第二凹状部との間に隙間があることを特徴とする旅行かばん。
【請求項２】
前記第一環状筐体は、第一固定部、Ｌ字型の階段状部位および第一接合部を有し、前記第一固定部は前記フロントシェルに連結され、前記Ｌ字型の階段状部位は前記第一固定部から伸びて形成され、前記第一接合部はＬ字型の階段状部位の末端に形成され、前記第二環状筐体は、第二固定部、縦部および第二接合部を有し、前記第二固定部は前記バックシェルに連結され、前記縦部は前記第二固定部から伸びて形成され、前記第二接合部は前記縦部の末端に形成され、かつ前記第一接合部に当接し、前記Ｌ字型の階段状部位および前記縦部は前記環状溝を構成することを特徴とする請求項１に記載の旅行かばん。
【請求項３】
前記ハンドルの二つの前記固定座は、前記第一環状筐体の前記Ｌ字型の階段状部位に配置されることを特徴とする請求項２に記載の旅行かばん。
【請求項４】
前記第一環状筐体および前記第二環状筐体は、それぞれ前記第二凹状部の両端に連結された二つの突出部を有し、前記突出部の頂面は前記グリップの頂面に並列することを特徴とする請求項１に記載の旅行かばん。
【請求項５】
前記第一環状筐体および前記第二環状筐体は、それぞれ前記第二凹状部の両端に連結された二つの突出部を有し、前記突出部の頂面は二つの前記固定座の頂面に並列することを特徴とする請求項１に記載の旅行かばん。
【考案の詳細な説明】
【技術分野】
【０００１】
本考案は、旅行かばんに関し、詳しくはハンドルの使用上の利便性を保ったうえで外部の物に引っ掛かり、ぶつかることを避け、収納空間をあまり取らないことができる旅行かばんに関するものである。
【背景技術】
【０００２】
旅行かばんは日常生活の中で広く使用されている。例えば旅行または出張に出かける際、旅行かばんは身の回りの品および生活用品の収納に用いられる。かつ様々な需要に応じるため、機能および形の異なる様々な旅行かばんが開発された。
【０００３】
従来の旅行かばんは、収納のためにシェル内部が収納空間に形成され、搬送の利便をはかるためにユーザーの手で握るハンドルがシェルの外側に配置される。しかしながら、ハンドルは旅行かばんのシェルの外側に突出するため、外部の物に引っ掛かり、ぶつかって損傷を受けることがよくある。一方、旅行かばんを収納する際、場所を取るという問題がある。それに対し、伸縮ハンドルが業者に開発された。ハンドルは一般的にジェルの表面に嵌め込まれるため、外部の物に引っかかるという問題を避けることができる。ユーザーがハンドルを握る際、旅行かばんのシェルにハンドルを突出させればよい。しかしながら、伸縮ハンドルは固定座がシェルの表面に突出したため、外部の物にぶつかって損傷を受ける、収納場所を取るという問題は依然として解決されない。従って、旅行かばんの使用上の利便性を保ったうえで外部の物に引っ掛かり、ぶつかることを避け、収納場所をあまり取らないことを実現させることは、業者のもっとも解決した課題となる。
【考案の概要】
【考案が解決しようとする課題】
【０００４】
本考案は、ハンドルの使用上の利便性を保ったうえで外部の物に引っ掛かりぶつかることを避け、収納場所をあまり取らないことができる旅行かばんを提供することを主な目的とする。
【課題を解決するための手段】
【０００５】
上述の目的を達成するために、本考案による旅行かばんは、フロントシェル、バックシェル、フレームおよびハンドルを備える。フロントシェルは開口辺縁部と、開口辺縁部に形成された第一凹状部とを有する。バックシェルは開口辺縁部と、開口辺縁部に形成された第一凹状部とを有する。フレームは第一環状筐体および第二環状筐体を有する。第一環状筐体はフロントシェルの開口辺縁部に装着され、第二凹状部を有する。第二環状筐体はバックシェルの開口辺縁部に装着され、第二凹状部を有する。第一環状筐体および第二環状筐体は相互に当接することで環状溝を形成する。二つの第二凹状部および二つの第一凹状部は相互に対応することで陥没部を構成する。ハンドルはグリップと、グリップの両端に配置された二つの固定座とを有する。二つの固定座は陥没部の両側かつ環状溝の中に位置するようにフレームに固定される。グリップは陥没部の上方に跨り、二つの第二凹状部との間に隙間がある。
【図面の簡単な説明】
【０００６】
【図１】本考案の一実施形態による旅行かばんを示す斜視図である。
【図２】本考案の一実施形態による旅行かばんを示す斜視分解図である。
【図３】本考案の一実施形態による旅行かばんの一部の断面を示す斜視図である。
【考案を実施するための形態】
【０００７】
以下、本考案による旅行かばんを図面に基づいて説明する。
（一実施形態）
図１に示すように、本考案の一実施形態による旅行かばん１００は、フロントシェル１０、バックシェル２０、フレーム３０および二つのハンドル４０を備える。
【０００８】
図２に示すように、フロントシェル１０は開口辺縁部１２と、開口辺縁部１２に形成された第一凹状部１２１と、第一凹状部１２１の近くに接する部位に形成された凹状円弧部１４とを有する。バックシェル２０は開口辺縁部２２と、開口辺縁部２２に形成された第一凹状部２２１と、第一凹状部２２１の近くに接する部位に形成された凹状円弧部２４とを有する。開口辺縁部１２および開口辺縁部２２は相互に対応し、フレーム３０によって接合され、フロントシェル１０およびバックシェル２０を閉鎖する。第一凹状部１２１はフロントシェル１０の内側へ陥没する。第二凹状部２２１はバックシェル２０の内側へ陥没する。
【０００９】
フレーム３０は、第一環状筐体３２および第二環状筐体３４から構成される。第一環状筐体３２はフロントシェル１０の開口辺縁部１２に装着される。第二環状筐体３４はバックシェル２０の開口辺縁部２２に装着される。図１に示すように、第一環状筐体３２および第二環状筐体３４は相互に当接するため、フレーム３０は中央に形成された環状溝３６を有する。
【００１０】
図３に示すように、第一環状筐体３２は、第一固定部３２３、Ｌ字型の階段状部位３２５および第一接合部３２７を有する。第一固定部３２３はフロントシェル１０に連結される。Ｌ字型の階段状部位３２５は第一固定部３２３から伸びて形成される。第一接合部３２７はＬ字型の階段状部位３２５の末端３２５ａに形成される。第二環状筐体３４は、第二固定部３４３、縦部３４５および第二接合部３４７を有する。第二固定部３４３はバックシェル２０に連結される。縦部３４５は第二固定部３４３から伸びて形成される。第二接合部３４７は縦部３４５の末端３４５ａに形成され、かつ第一接合部３２７に当接する。第一環状筐体３２のＬ字型の階段状部位３２５および第二環状筐体３４の縦部３４５は環状溝３６を構成する。
【００１１】
第一環状筐体３２および第二環状筐体３４は構造が本実施形態に限らない。第一環状筐体３２および第二環状筐体３４を相互に当接させ、その間に環状溝３６を形成できさえすればよい。
【００１２】
図１に示すように、第一環状筐体３２は二つの第二凹状部３２１を有する。第二環状筐体３４は二つの第二凹状部３４１を有する。第二凹状部３２１および第一凹状部１２１は相互に対応し、第二凹状部３４１および第一凹状部２２１に相互に対応するため、陥没部５０が形成される。
【００１３】
二つのハンドル４０は、それぞれグリップ４２と、グリップ４２の両端に配置された二つの固定座４４とを有する。二つの固定座４４は陥没部５０の両側の所定部位に位置するようにフレーム３０に固定される。固定座４４が突出すれば外部の物に引っ掛かり、ぶつかることがよくあり、収納場所を取るという欠点を改善するために、本実施形態において、固定座４４は第一環状筐体３２のＬ字型の階段状部位３２５に連結され、かつフレーム３０の環状溝３６内に装着される。二つの固定座４４の頂面は隣り合う第一環状筐体３２および第二環状筐体３４の頂面に並列する。従って、固定座４４が外部の物に引っ掛かるかぶつかって損傷することを避けることができるだけでなく、旅行かばん１００の形が平坦になり、固定座４４が収納場所を取ることがない。一方、グリップ４２は陥没部５０の上方に跨り、それぞれの第二凹状部３２１および第二凹状部３４１との間に隙間があるため、ハンドル４０を握る際の利便性を有する。ハンドル４０は必要に応じて一つしか配置されてもよい。
【００１４】
第二凹状部３２１および第二凹状部３４１に対し、本実施形態において、第一環状筐体３２は二つの突出部３２９を有し、第二環状筐体３４は二つの突出部３４９を有する。二つの突出部３２９は第二凹状部３２１の両端に連結される。二つの突出部３４９は第二凹状部３４１の両端に連結される。図３に示すように、突出部３２９は頂面３２９ａを有する。突出部３４９は頂面３４９ａを有する。グリップ４２は頂面４２１を有する。頂面３２９ａおよび頂面３４９ａは頂面４２１に並列するため、グリップ４２が外部の物に引っ掛かり、ぶつかることを避けることができる。グリップ４２は旅行かばん１００の収納場所を取ることがないだけでなく、使用上の利便性を有する。従って、本考案は従来の旅行かばんの設計上の欠陥を確実に改善することができる。
【００１５】
一方、本考案は考案の趣旨を逸脱しない範囲において旅行かばん１００の構造を変えるか、同等な効果を維持したうえで設計を変える、例えば第一環状筐体３２および第二環状筐体３４の配置位置を入れ替えることができる。つまり、思い付きやすい構造の変更は本考案の主張範囲に含まれるべきである。
【符号の説明】
【００１６】
１００：旅行かばん、
１０：フロントシェル、
１２：開口辺縁部、
１２１：第一凹状部、
１４：凹状円弧部、
２０：バックシェル、
２２：開口辺縁部、
２２１：第一凹状部、
２４：凹状円弧部、
３０：フレーム
３２：第一環状筐体
３２１：第二凹状部、
３２３：第一固定部、
３２５：Ｌ字型の階段状部位
３２５ａ：末端、
３２７：第一接合部、
３２９：突出部、
３２９ａ：頂面、
３４：第二環状筐体、
３４１：第二凹状部、
３４３：第二固定部、
３４５：縦部、
３４５ａ：底部、
３４７：第二接合部、
３４９：突出部、
３４９ａ：頂面、
３６：環状溝、
４０：ハンドル、
４２：グリップ、
４２１：頂面、
４４：固定座、
５０：陥没部、
【図１】
0003191248.tif 000003
【図２】
0003191248.tif 000004
【図３】
0003191248.tif 000005